(57)【要約】  切り傷または刺し傷からの保護のための保護手袋は、手袋の使用時に手に接触する内層と、手袋の掌側の少なくとも一部における保護層（１）と、外層とを備える。保護層（１）は、織られた金属ワイヤからなるワイヤメッシュの組成物を含む。保護層（１）は、織られた金属の少なくとも２枚のシートを備え、２枚のシートのうちの第１のシート（２）が、掌部分（３）と、少なくとも１本の指部分または親指部分（４）とを有し、２枚のシートのうちの第２のシート（５）が、掌部分（６）と、前記第１のシート（２）とは異なる少なくとも１本の指部分（７）または親指部分とを有する。織られた金属の２枚のシート（２、５）は、指（７）と掌（３、６）との間の移行部（８）により画定された線の少なくとも一部で付近で互いに取り付けられる。【選択図】図１
2015522723.tif 000002
【特許請求の範囲】
【請求項１】
切り傷または刺し傷からの保護のための保護手袋において、前記手袋の使用時に手に接触する内層と、前記手袋の掌側の少なくとも一部における保護層（１）と、外層とを備え、前記保護層（１）が、織られた金属ワイヤからなるワイヤメッシュの組成物を含み、前記保護層（１）が織られた金属の少なくとも２枚のシートを備え、前記２枚のシートのうちの第１のシート（２）が、掌部分（３）と、少なくとも１本の指部分または親指部分（４）とを有し、前記２枚のシートのうちの第２のシート（５）が、掌部分（６）と、前記第１のシート（２）とは異なる少なくとも１本の指部分（７）または親指部分とを有し、織られた金属の前記２枚のシート（２、５）が、前記指（７）と前記掌（３、６）との間の移行部（８）により画定された線の少なくとも一部で付近で互いに取り付けられることを特徴とする保護手袋。
【請求項２】
請求項１に記載の保護手袋において、織られた金属の前記２枚のシート（２、５）が、前記手袋の前記開口部に最も近い前記掌側（９）の少なくとも一部付近でも互いに取り付けられることを特徴とする保護手袋。
【請求項３】
請求項１または２に記載の保護手袋において、前記第１のシート（２）が、掌部分（３）と親指部分（４）とを有することを特徴とする保護手袋。
【請求項４】
請求項１乃至３の何れか１項に記載の保護手袋において、前記第２のシート（５）が、掌部分（６）と４本の指部分（７）とを有することを特徴とする保護手袋。
【請求項５】
請求項１乃至４の何れか１項に記載の保護手袋において、前記保護層（１）の各指部分（４、７）がくびれ（１０）を有し、前記くびれが前記手袋の指先に対応する箇所に配設されることを特徴とする保護手袋。
【請求項６】
請求項１乃至５の何れか１項に記載の保護手袋において、前記保護層（１）が、前記保護手袋の前記内層に少なくとも部分的に取り付けられることを特徴とする保護手袋。
【請求項７】
請求項６に記載の保護手袋において、前記保護層（１）が、接着剤により前記内層に取り付けられることを特徴とする保護手袋。
【請求項８】
請求項１乃至７の何れか１項に記載の保護手袋において、前記保護層（１）が、前記保護手袋の前記外層に少なくとも部分的に取り付けられることを特徴とする保護手袋。
【請求項９】
請求項８に記載の保護手袋において、前記保護層（１）が、接着剤により前記外層に取り付けられることを特徴とする保護手袋。
【請求項１０】
請求項１乃至９の何れか１項に記載の保護手袋において、前記保護層（１）における前記種々のシート（２、５）が、継目（１１）で互いに取り付けられることを特徴とする保護手袋。
【請求項１１】
請求項１乃至１０の何れか１項に記載の保護手袋において、前記シート（２、５）が、ステンレス鋼からなる金属ワイヤから織成されることを特徴とする保護手袋。
【請求項１２】
請求項１乃至１１の何れか１項に記載の保護手袋において、前記金属ワイヤがモノフィラメントワイヤであることを特徴とする保護手袋。
【発明の詳細な説明】
【技術分野】
【０００１】
本発明は、切り傷および刺し傷からの保護のための保護手袋に関する。手袋は、手袋の使用時に手に接触する内層と、手袋の掌側の少なくとも一部における保護層と、外層とを備える。保護層１は、織られた金属ワイヤからなるワイヤメッシュの組成物を含む。保護層は更に、織られた金属の少なくとも２枚のシートを備える。２枚のシートのうちの第１のシートは、掌部と、少なくとも１本の指部分または親指部分とを有する。２枚のシートのうちの第２のシートは、掌部と、前記第１のシートとは異なる少なくとも１本の指部分または親指部分とを有する。
【背景技術】
【０００２】
人々は、多くの異なる状況において切り傷または刺し傷に曝される。清掃員にとって、公共の場所に使用済み皮下注射器が存在すること、また廃棄物中に鋭利な物体が存在することは、日常的な問題である。使用済み注射器や割れたガラスはまた、人々が襲われる状況では危険物として使用され、警察官、警備員および他の保安要員がこの種の傷害に曝される。事故の現場で割れたガラスを見つけることは珍しいことではなく、そのような場所での救助員は、救出作業に関連して切り傷を負う恐れがある。消防士は特に、火災が生じており、割れたガラスまたは他の鋭利な物体がしばしば存在する建物に入らなければならない場合にそのような傷害の危険に曝される。
【０００３】
保護手袋の使用が適切である別の状況は、医療および実験室作業の分野に存在し、それは、血液および他の体液が引き起こす感染の危険を伴って取り扱われる中で鋭利な物体が用いられる状況である。
【０００４】
保護手袋が必要となる他の事例は、鋭利な釣り針が危険となる漁業、および水産加工事業または食肉生産事業（例えば、食肉処理場）において見られる。
【０００５】
更なる分野は、板金加工またはガラス加工が行われる建築および工業の分野である。
【０００６】
かかる事例または同様の事例で使用される保護手袋は、いくつかの要件を満たさなければならない。手袋は、鋭利な物体が手袋を貫通して皮膚に到達するのを防止しなければならず、この衣類を着用しているときの動きの容易さを実現しなければならず、洗浄および場合により消毒が容易でなければならず、かつ一般に使い心地が良くなければならない。最後の要件は、危険度の高い特別な状況だけでなく、傷害の何らかの危険がある場合に手袋が常に使用される利点をもたらす。
【０００７】
保護層を備える保護手袋に関するいくつかの既知の解決策がある。保護層のワイヤメッシュの小さい寸法が有効であると判明した米国特許第６，５８１，２１２号明細書に一例が開示されている。これは、材料の節約および保護手袋を使用したときの十分な可動性の達成の両方を実現する。同時に、ワイヤメッシュの小さい開口は、細く鋭利な物体が保護層を貫通するのを防止する。鋭利な物体が手袋を貫通する能力を更に低下させる特に高度な保護が、ワイヤメッシュの保護層にいくつかのシートを使用することにより達成される。
【０００８】
しかしながら、手袋にいくつかのシートを使用することに関する１つの問題は、非常に細いワイヤメッシュを使用したとしても、最終的に何かを掴むことが困難になることである。
【０００９】
この問題に対する１つの解決策は、スウェーデン国特許発明第５３３９２９Ｃ２号明細書に開示されている。切り傷または刺し傷からの保護のための保護手袋は、手袋の使用時に手に接触する内層と、保護層と、外層とを備える。保護層は、織られた金属ワイヤからなるワイヤメッシュの組成物を含み、保護層は、少なくとも２枚の織られた金属を備える。第１のシートは掌部分と親指部分とを有し、第２のシートは掌部分と４本の指部分とを有する。２枚のシートは、実際には、手袋の開口部（すなわち、掌の指とは反対の側）における保護層内の折り畳み線で折り畳まれた材料のたった１枚のシートである。これは、当然ながら、保護層が、指（および親指）に対する保護層の部分に比べて、掌部分に２倍の枚数のシートを有することを意味する。しかしながら、大抵の場合、手の掌をより良好に保護することが望ましい。
【００１０】
この１枚の折り畳まれたシートは、一態様によれば、有利であるが、シートを製造するときに、材料の無駄になる部分（ｓｐｉｌｌａｇｅ）が相当な量となる。
【発明の概要】
【００１１】
本発明の目的は、多くの材料が無駄になる問題を克服する保護手袋を提供すること、および改良された手袋を提供することである。
【００１２】
この目的は、添付の特許請求の範囲に記載される保護手袋により達成される。
【００１３】
本発明によれば、切り傷または刺し傷からの保護のための保護手袋は、手袋の使用時に手に接触する内層と、手袋の掌側の少なくとも一部における保護層と、外層とを備える。保護層は、織られた金属ワイヤからなるワイヤメッシュの組成物を含み、保護層は、少なくとも２枚の織られた金属を備える。２枚のシートのうちの第１のシートは、掌部と、少なくとも１本の指部分または親指部分とを有する。２枚のシートのうちの第２のシートは、掌部と、前記第１のシートとは異なる少なくとも１本の指部分または親指部分とを有する。織られた金属の２枚のシートは、指と掌との間の移行部により画定された線の少なくとも一部で付近で互いに取り付けられる。
【００１４】
したがって、２枚の別個のシートを接合させることにより、材料の無駄になる部分を最小限に抑えるための２枚のシートの設計を作成することが可能である。また、従来技術に関する更なる問題は、手袋を使用しているときに、指に最も近い掌部分における保護層のシートがしばらくすると丸まって金属の塊になる傾向があることである。種々のシートを指と掌との間の移行部（すなわち、何かを把持するときに手の内側を大きく屈曲させる場所）付近で互いに取り付けることにより。移行部付近とは、掌の上部または掌の指に最も近い側と指の下部、すなわち、指の根元に近い部分との間で取り付けが行われることを包含するように意図されている。
【００１５】
本発明の一態様によれば、織られた金属の２枚のシートは、手袋の開口部に最も近い掌側の少なくとも一部付近でも互いに取り付けられる。更なる代替案は、指と掌との間の移行部から掌の対向側、すなわち、手袋の開口部側に延びる線に沿って、シートを互いに取り付けることである。
【００１６】
本発明の別の態様によれば、前記第１のシートは、掌部と親指部分とを有する。親指部分自体が掌部分と組み合わされることにより、材料の無駄が最小限に抑えられる。
【００１７】
上記の第１のシートに対する理由と同じ理由で、前記第２シートは、本発明の一態様による、掌部分と４本の指部分とを有する。手袋の指は互いに実質的に平行であり、掌部分と組み合わされた指部分はほぼ矩形のシートを形成する。
【００１８】
本発明の更に別の態様によれば、保護層の各指部分はくびれを有し、このくびれは手袋の指先に対応する箇所に配設される。この文脈では、親指も指と見なされる、つまり、親指部分もくびれを有する。
【００１９】
本発明の更なる態様によれば、保護層は、保護手袋の内層に少なくとも部分的に取り付けられる。これは、その取り付けが指および親指の先端で行われる場合に特に有益である。例えば、手が濡れている場合、手袋から手を抜き出すときに、裏地層または内層が後を追って少なくとも部分的に手袋の外に出る傾向があり、手袋に再び手を入れることが困難になることがある。このような取り付けにより、この裏地の後退を回避するまたは少なくとも最小限に抑えることができる。好ましくは、保護層は、接着剤により内層に取り付けられる。
【００２０】
保護層が位置ずれするリスクを回避するまたは最小限に抑えるために、保護層は、本発明の更なる態様によれば、保護手袋の外層に少なくとも部分的に取り付けられる。また、この場合には、保護層が接着剤により外層に取り付けられることが好ましい。
【００２１】
種々の金属シート間の取り付けは、本発明の一態様によれば、継目で行われる（つまり、保護層における種々のシートは、継目で互いに取り付けられる）。しかしながら、超音波溶接などの選択肢がある。
【００２２】
手袋の柔軟性を維持するために、シートは、本発明の態様によれば、ステンレス鋼からなる金属ワイヤから織成される。腐食した金属は、腐食してないときに比べて若干硬い傾向がある。
【００２３】
より薄いシートに関しては、金属ワイヤは、本発明の更に別の態様によれば、モノフィラメントワイヤである。
【００２４】
ここで、本発明について添付の図面を参照して更に開示する。
【図面の簡単な説明】
【００２５】
【図１】図１は、本発明による保護層の基本レイアウトを有する実施形態を示す。
【図２】図２は、本発明による保護層の代替的な実施形態を示す。
【図３】図３は、図１に示す実施形態の保護層におけるシートのうちの１枚を示す。
【図４】図４は、図１に示す実施形態の保護層の２枚の同一のシートを示す。
【発明を実施するための形態】
【００２６】
本発明による、切り傷または刺し傷からの保護のための保護手袋は、手袋の使用時に手に接触する内層と、手袋の掌側の少なくとも一部における保護層１（図１参照）と、外層とを備える。保護層１は、織られた金属ワイヤからなるワイヤメッシュの組成物を含む。更に、保護層１は、織られた金属の少なくとも２枚のシートを備え、２枚のシートのうちの第１のシート２は、掌部分３と親指部分４とを有する。２枚のシートのうちの第２のシート５は、掌部分６と４本の指部分７とを有する。織られた金属の２枚のシート２、５は、指７と掌３、６との間の移行部８により画定された線の少なくとも一部で付近の継目１１で互いに取り付けられる。
【００２７】
図２には、手袋の開口部が位置する場所に近い掌側９の継目１１も示されている。更に、図２において、指部分７および親指部分４は、図１に示す保護層に比べて僅かに長く、くびれ１０を備えている。この実施形態では、保護層が指７および親指４の頂部を保護することができる。手袋の指先が分厚くなるのを回避するために、くびれがちょうど指の頂部に位置するように配設される。シートの枚数は、必要な保護の程度に応じて変更することができる。例えば、シート２および５の各種類の５枚のシート。これらを「親指」シート２を含む５枚のシートと「指」シート５を含む５枚のシートの群で配設し、次いで互いに取り付けることができる。代替案では、１枚おきにシートが「親指」シート２となるようにシートを「挟む」ことができる。
【００２８】
図３は、指部分と掌部分とを有するシート５を示している。シート５は材料の大きなシートから切り抜かれ、シート５の輪郭形状がほぼ矩形であるが、これは、他のものに使用することができない材料の無駄になる部分が比較的少ないことを意味する。
【００２９】
また、図４は、親指部分と掌部分を備えた他のシート２の２枚のコピーを示している。２枚のシート２は、材料の無駄になる部分を最小限に抑えることができるように配設される。
【００３０】
前述の内容は、本発明を実施する一例の開示である。しかしながら、修正および変更が当業者にとって明白であることは明らかである。前述の開示は、当業者が本発明を実施できるように意図されたものであり、本発明は、その開示により限定されると解釈されるべきではなく、特許請求の範囲の範囲内に含まれるかかる修正および変更を含むと解釈されるべきである。例えば、２枚のシートが、図に示す実施形態とは異なる指と親指の組み合わせ（掌と親指と小指を備えた一方のシートならびに掌と残りの指を備えた他方のシートなど）を有することができる。また、シートは、重なり合う指部分を有することもできる。
【００３１】
更に、手袋を最適化するために、外層は、一般的に指定された使用（すなわち、材料、着用、把持などに関する）に適合される。また、シートの枚数は、少なくとも２枚の異なる種類のシートについてはシートの枚数が必ずしも同じにならないように変更することもできる。
【図１】
2015522723.tif 000003
【図２】
2015522723.tif 000004
【図３】
2015522723.tif 000005
【図４】
2015522723.tif 000006
【国際調査報告】
2015522723.tif 000007
2015522723.tif 000008
2015522723.tif 000009